(57)【要約】【課題】フックが設けられていても、ユーザーが握り部を握る際に邪魔になりにくい握りバーを提供する。【解決手段】本発明は、被取付面９に取り付けられる取付部３２が握り部３１の長手方向の端部に設けられ、この取付部９にフック５が設けられている。【選択図】図１
2014226392.tif 000002
【特許請求の範囲】
【請求項１】
被取付面に取り付けられる取付部が握り部の長手方向の端部に設けられ、
この取付部にフックが設けられている
ことを特徴とする握りバー。
【請求項２】
前記取付部にはカバー体が装着されており、
前記フックが、このカバー体に設けられている
ことを特徴とする請求項１記載の握りバー。
【請求項３】
前記取付部には、奥面に固着具挿通孔が設けられた凹部が設けられ、
前記カバー体は前記凹部に嵌め込まれるホールキャップであり、
前記フックは、前記ホールキャップの前端部に設けられている
ことを特徴とする請求項２記載の握りバー。
【請求項４】
前記凹部は丸穴により形成されており、
当該握りバーは、前記ホールキャップが前記凹部内で回転するのを規制する回転規制部をさらに備えている
ことを特徴とする請求項３記載の握りバー。
【請求項５】
前記握り部は長手方向が左右方向に沿って設けられ、
前記取付部は前記握り部の長手方向の両端に設けられ、
前記フックは、前後方向に屈曲したものであり、且つ前記握り部の長手方向の両端の前記カバー体にそれぞれ設けられ、これにより、物掛けバーが懸架可能となっている
ことを特徴とする請求項２乃至請求項４のいずれか一項に記載の握りバー。
【請求項６】
前記フックが左右方向に屈曲したものであり、これにより、前記フックの固定側から先端側に向かう方向が、前記被取付面に沿っている
ことを特徴とする請求項１乃至請求項４のいずれか一項に記載の握りバー。
【発明の詳細な説明】
【技術分野】
【０００１】
本発明は、握りバーに関する。
【背景技術】
【０００２】
特許文献１には、従来の握りバーが開示されている。特許文献１記載の流し台には、キャビネットの前面に、握りバーとしてのアシストバーが取り付けられている。このアシストバーは、キャビネットに取り付けられた一対のサイドカバーの間に架設されている。
【０００３】
特許文献１記載の流し台のアシストバーの下方には、物品吊り下げバーが設けられている。この物品吊り下げバーにはＳ字フックが引掛けられており、このＳ字フックに、例えば、袋等の吊り下げ袋を吊り下げることができるように構成されている。
【先行技術文献】
【特許文献】
【０００４】
【特許文献１】特開２００８−２８４１８４号公報
【発明の概要】
【発明が解決しようとする課題】
【０００５】
ところで特許文献１の流し台は、物品吊り下げバーにＳ字フックが引掛けられていて、このＳ字フックに、吊り下げ袋を吊り下げることができるため、小物の収納に便利である。しかしながら、この流し台の構造では、Ｓ字フックが物品吊り下げバーに沿って容易に移動してしまうため、ユーザーは、アシストバーを握る際に、フックが邪魔になることがある。
【０００６】
本発明は、上記事情に鑑みてなされたものであり、その目的とするところは、フックが設けられていても、ユーザーが握り部を握る際に邪魔になりにくい握りバーを提供することにある。
【課題を解決するための手段】
【０００７】
本発明の握りバーは、被取付面に取り付けられる取付部が握り部の長手方向の端部に設けられ、この取付部にフックが設けられていることを特徴とする。
【０００８】
またこの握りバーにおいて、前記取付部にはカバー体が装着されており、前記フックが、このカバー体に設けられていることが好ましい。
【０００９】
またこの握りバーにおいて、前記取付部には、奥面に固着具挿通孔が設けられた凹部が設けられ、前記カバー体は前記凹部に嵌め込まれるホールキャップであり、前記フックは、前記ホールキャップの前端部に設けられていることが好ましい。
【００１０】
またこの握りバーにおいて、前記凹部は丸穴により形成されており、当該握りバーは、前記ホールキャップが前記凹部内で回転するのを規制する回転規制部をさらに備えていることが好ましい。
【００１１】
またこの握りバーにおいて、前記握り部は長手方向が左右方向に沿って設けられ、前記取付部は前記握り部の長手方向の両端に設けられ、前記フックは、前後方向に屈曲したものであり、且つ前記握り部の長手方向の両端の前記カバー体にそれぞれ設けられ、これにより、物掛けバーが懸架可能となっていることが好ましい。
【００１２】
またこの握りバーにおいて、前記フックが左右方向に屈曲したものであり、これにより、前記フックの固定側から先端側に向かう方向が、前記被取付面に沿っていることが好ましい。
【発明の効果】
【００１３】
本発明の握りバーによれば、フックが設けられていても、ユーザーが握り部を握る際に邪魔になりにくい。
【図面の簡単な説明】
【００１４】
【図１】実施形態１の握りバーが取り付けられた厨房装置の斜視図である。
【図２】実施形態１の握りバーの分解斜視図である。
【図３】実施形態１のフック付きホールキャップの斜視図である。
【図４】実施形態１の握りバーの要部の斜視図である。
【図５】実施形態２の握りバーが取り付けられた厨房装置の斜視図である。
【図６】実施形態３の握りバーが取り付けられた厨房装置の斜視図である。
【図７】実施形態３の握りバーの分解斜視図である。
【図８】握りバーの他の使用例を示した斜視図である。
【図９】握りバーのさらに他の使用例を示した斜視図である。
【図１０】握りバーのさらに他の使用例を示した斜視図である。
【発明を実施するための形態】
【００１５】
以下、本発明の実施形態について添付図面に基づいて説明する。
【００１６】
実施形態１の握りバー３は、図１に示すように、厨房装置１に取り付けられる。本実施形態の厨房装置１は、車椅子対応の介護用の厨房装置である。厨房装置１は、キッチンの床に設置される。この厨房装置１は、家具２と、調理台２４とを備えている。
【００１７】
なお、本実施形態における方向の定義は、使用状態における奥手前方向が前後方向として定義される。特に、厨房装置１においてバックガード２８が設けられている側を後側として定義し、ユーザーが調理時に立つ側を前側として定義する。また、左右方向は、ユーザーが厨房装置１に向かった姿勢での方向として定義する。
【００１８】
家具２は、キッチンの床に設置される。家具２は脚挿入部２１を備えている。脚挿入部２１は、車椅子に乗ったユーザーや、椅子に着座したユーザーが前方から後方に向かって脚を調理台２４の下方に挿入することができる凹所である。脚挿入部２１は、前方に向かって開口している。脚挿入部２１は、家具２の前側に設けられている。
【００１９】
家具２の前面には前板２２が設けられている。前板２２は、脚挿入部２１の上方に設けられている。前板２２は、左右方向に対向配置された側板２３の前端部の上部に取り付けられている。前板２２は、上下方向に高さを有し、左右方向に長さを有している。この前板２２には、後述の握りバー３が取り付けられる。
【００２０】
調理台２４は、家具２の上端に載設されている。調理台２４は、シンク２５と、調理器設置部２６と、カウンター２７とを備えている。シンク２５は、調理台２４の左側の端部に設けられている。また、調理器設置部２６は、調理台２４の右側の端部に設けられており、平面視矩形状の開口部により構成されている。調理器設置部２６には、例えば、コンロなどのビルトイン型の加熱調理器が設置される。また、カウンター２７は、シンク２５および調理器設置部２６が設けられた箇所以外の箇所により構成されている。カウンター２７は、水平面により構成されている。カウンター２７の後方側の端縁にはバックガード２８が立設されている。
【００２１】
厨房装置１の前板２２には、握りバー３が取り付けられている。握りバー３は、図１に示すように、握り部３１と、取付部３２と、カバー体４と、フック５とを備えている。フック５は、カバー体４に一体に設けられている。
【００２２】
握り部３１は、ユーザーが把持する箇所である。握り部３１は、左右方向に長さを有する長尺な棒形状をしている。握り部３１の中心軸は、略水平となっており、その長手方向が左右方向に沿って設けられている。握り部３１は、前板２２の前面に対し、平面視で平行となるように配置されている。握り部３１は、前板２２の前面から離間している。
【００２３】
取付部３２は、握り部３１の長手方向の端部に設けられている。取付部３２は、握り部３１を厨房装置１の前板２２に固定するための部分である。取付部３２は、前後方向に長さを有しており、中心線が前後方向に平行となった略円柱状に形成されている。取付部３２の前端面は、外側（握り部３１とは反対側）に向かうほど後方に位置するように傾斜しており、前方に凸となった凸曲面を形成する。
【００２４】
なお、取付部３２は、握り部３１の長手方向の両端に設けられてもよいし、長手方向の一方の端部にのみ設けられてもよい。
【００２５】
取付部３２には、図２に示すように、凹部３３が設けられている。凹部３３は、丸穴により形成されている。凹部３３は、取付部３２の前端面から後方に向かって凹没している。凹部３３は奥面３５（底面）を有している。奥面３５は、凹部３３の後方に設けられた底板部（図示せず）の前面により構成されている。底板部には、当該底板部を厚み方向（前後方向）に貫通する固着具挿通孔３６が設けられている。つまり、奥面３５には固着具挿通孔３６が設けられている。
【００２６】
取付部３２は、底板部の後面が前板２２の前面に当接した状態で、固着具（図示せず）が固着具挿通孔３６に挿入され、前板２２に打ち込まれることで、当該前板２２に固定される。つまり、前板２２の前面が、取付部３２の被取付面９を構成する。なお、固着具としては、タッピングビス等のねじ具や釘などが用いられるが特に限定されない。
【００２７】
この凹部３３には、カバー体４が装着される。カバー体４は、ホールキャップ４１により構成されている。ホールキャップ４１は、凹部３３の内部に嵌め込まれ、これにより、凹部３３の前方開口を閉塞する。
【００２８】
ホールキャップ４１は、円筒状に形成されている。ホールキャップ４１は、前後方向に長さを有している。ホールキャップ４１の外径は、凹部３３の内径と略同じ大きさに形成され、これにより、凹部３３の内部に圧入される。ホールキャップ４１の前端部には、フック５が固定されている。
【００２９】
フック５は、側面視Ｊ字状に形成されている。フック５には、例えば、小物を収納しておくことができる収納袋やゴミ袋などの吊り下げ袋が吊り下げられる。フック５は、図３に示すように、固定片５１と、横片５２と、立設片５３とを備えている。固定片５１は、上下方向に長さを有しており、左右方向に幅を有している。固定片５１の上端は、ホールキャップ４１に連設されている。
【００３０】
なお、固定片５１とホールキャップ４１とは、嵌合により一体となったものであってもよいし、溶接により一体となったものであってもよい。
【００３１】
横片５２は、固定片５１の下端から前方に向かって延出している。横片５２は、前後方向に長さを有し、左右方向に幅を有している。また、立設片５３は、横片５２の前端から上方に向かって延出している。立設片５３は、上下方向に長さを有し、左右方向に幅を有している。立設片５３の長さは、固定片５１の長さよりも短く形成されている。
【００３２】
握りバー３は、図２に示すように、回転規制部６を備えている。回転規制部６は、ホールキャップ４１と、取付部３２の凹部３３の内部とにそれぞれ設けられている。ホールキャップ４１には、回転規制部６として、係止片６１が設けられている。係止片６１は、図３に示すように、ホールキャップ４１の後端から後方に向かって突出している。係止片６１は、ホールキャップ４１の中心を挟んで対称となるように２つ設けられている。なお、係止片６１は、１つであってもよいし、３つ以上であってもよい。
【００３３】
また、凹部３３には、図２に示すように、回転規制部６として係止溝６２が設けられている。係止溝６２には、ホールキャップ４１の係止片６１が入り込むように構成されており、これにより、ホールキャップ４１の中心軸廻りの回転を規制する。なお、係止溝６２は、凹部３３の奥面３５に設けられた突起部６３が対向配置されることで形成されている。
【００３４】
ホールキャップ４１は、図４に示すように、前板２２に固定された状態の取付部３２の凹部３３に前方から嵌め込まれる。ホールキャップ４１が凹部３３に嵌め込まれると、フック５は、前後方向に屈曲した形状となり、立設片５３側が前側に且つ固定片５１側が後側に位置する。つまり、フック５の先端側は、前側に位置する。
【００３５】
なお、本実施形態の握りバー３には、図１に示すように、上述のフック５が設けられたホールキャップ４１（以下、フック付きホールキャップ７）と、フック５が設けられていないホールキャップ４１とが取り付けられる。つまり、本実施形態の握りバー３は、握り部３１の長手方向の一方にフック付きホールキャップ７が取り付けられ、他方にフック５が設けられていないホールキャップ４１が取り付けられている。
【００３６】
以上、説明したように、本実施形態の握りバー３は、被取付面９に取り付けられる取付部３２が、握り部３１の長手方向の端部に設けられている。この取付部３２にはフック５が設けられている。
【００３７】
このため、本実施形態の握りバー３によれば、握り部３１の長手方向の端部にフック５が設けられているため、フック５に吊り下げ袋が吊り下げられても、ユーザーは、握り部３１を握るに当たり邪魔になりにくい。しかも、フック５に吊り下げる吊り下げ袋として、ゴミ袋が用いられると、キッチンの床に設置するゴミ箱を排除することができる。これにより、床に設置されたゴミ箱が車椅子の移動の邪魔になってしまうのを防ぐことができる。
【００３８】
また、本実施形態の握りバー３は、前記取付部にカバー体４が装着されている。フック５は、カバー体４に設けられている。
【００３９】
このため、本実施形態の握りバー３によれば、カバー体４とフック５とが一体となっているため、カバー体４を取り替えるだけで、従来の握りバー３に対しても、フック５を取り付けることができる。
【００４０】
また、本実施形態の取付部３２には、凹部３３が設けられている。凹部３３の奥面３５には、固着具挿通孔３６が設けられている。カバー体４は、凹部３３に嵌め込まれるホールキャップ４１である。フック５は、ホールキャップ４１の前端部に設けられている。
【００４１】
このように、本実施形態の握りバー３によれば、ホールキャップ４１を利用してフック５が取り付けられるため、すっきりとした外観とすることができ、見栄えを損なうことも防止できる。
【００４２】
また、本実施形態の凹部３３は丸穴により形成されている。握りバー３は、回転規制部６を備えている。回転規制部６は、ホールキャップ４１が凹部３３内で回転するのを規制するものである。
【００４３】
このため、本実施形態の握りバー３によれば、フック５に吊り下げられた吊り下げ袋が揺動しても、フック５が凹部３３内で回転移動してしまうのを防ぐことができる。
【００４４】
次に、実施形態２について図５に基づいて説明する。なお、実施形態２は、実施形態１と大部分において同じであるため、同じ部分においては同符号を付して説明を省略し、主に異なる部分について説明する。
【００４５】
本実施形態の握りバー３は、厨房装置１に取り付けられた点では実施形態１と共通するが、物掛けバー８が並設された点で実施形態１とは異なっている。本実施形態のその他の構成は、実施形態１の厨房装置１と同じである。
【００４６】
握りバー３の長手方向は、左右方向と平行となっている。つまり、握り部３１は長手方向が左右方向に沿って設けられている。また、握りバー３の長手方向の両端には、取付部３２が設けられている。握り部３１の長手方向の両側の取付部３２のうち、両方の取付部３２には、それぞれフック付きホールキャップ７が取り付けられている。これにより、一対のフック５は、左右方向に離間して対向配置されている。
【００４７】
フック付きホールキャップ７に設けられたフック５は、前後方向に屈曲した形状をしている。また、フック５の先端側は、前側に位置している。
【００４８】
この左右方向に対向配置されたフック５には、物掛けバー８が懸架されている。言い換えると、本実施形態の握りバー３には、物掛けバー８が懸架可能となっている。物掛けバー８には、例えば、タオルなどが掛けられる。
【００４９】
以上、説明したように、本実施形態の握りバー３は、握り部３１の長手方向が左右方向に沿って設けられている。取付部３２は、握り部３１の長手方向の両側に設けられている。フック５は、前後方向に屈曲した形状をしている。また、フック５は、握り部３１の長手方向の両端のカバー体４（つまり、ホールキャップ４１）にそれぞれ設けられている。これにより、フック５には物掛けバー８が懸架可能となっている。
【００５０】
このため、本実施形態の握りバー３によれば、フック５に物掛けバー８を懸架させることができ、これにより、物掛けバー８にタオル等を掛けることができて使い勝手をよいものとすることができる。
【００５１】
次に、実施形態３について図６に基づいて説明する。なお、実施形態３は、実施形態１と大部分において同じであるため、同じ部分においては同符号を付して説明を省略し、主に異なる部分について説明する。
【００５２】
本実施形態の握りバー３は、厨房装置１に取り付けられた点では実施形態１と共通するが、フック５の固定片５１から立設片５３に向かう方向が、左右方向に沿っている点で実施形態１の厨房装置１とは異なっている。本実施形態のその他の構成は、実施形態１と同じである。
【００５３】
握りバー３は、握り部３１の長手方向の端部に取付部３２が設けられている。取付部３２には、フック付きホールキャップ７が取り付けられている。なお、このフック付きホールキャップ７は、握り部３１の長手方向の両側に取り付けられてもよいし、長手方向の一方の端部に取り付けられてもよい。なお、本実施形態のフック付きホールキャップ７は、長手方向の一方の端部に取り付けられている。
【００５４】
フック５は、図７に示すように、ホールキャップ４１の前端部の周面の一部に固定されている。具体的に言うと、フック５は、ホールキャップ４１の前端部において、握り部３１側とは反対側に位置する箇所に固定されている。フック５は、左右方向に屈曲した形状をしており、これにより、正面視Ｊ字状をしている。また、フック５の先端側は、握り部３１とは反対側に位置している。これにより、フック５の固定側から先端側に向かう方向は、前板２２の前面（つまり、取付部３２の被取付面９）に沿っている。
【００５５】
以上説明したように、本実施形態の握りバー３は、フック５が左右方向に屈曲したものである。これにより、フック５の固定側から先端側に向かう方向は、取付部３２の被取付面９に沿った方向に臨んでいる。
【００５６】
このため、本実施形態の握りバー３によれば、フック５の先端がユーザー側に向かわないので、フック５の先端がユーザーの腰や下腹部等に当たってしまうのを防ぐことができる。
【００５７】
なお、実施形態１〜３の握りバー３は、厨房装置１に取り付けられていたが、本発明においては、厨房装置１以外に取り付けられるものであってもよい。例えば、握りバー３は、以下の箇所に取り付けることができる。
【００５８】
握りバー３は、図８に示すように、洗面化粧台に取り付けられてもよい。握りバー３は、洗面台９１の前端面に取り付けられている。この場合、洗面台９１の前端面が取付部３２の被取付面９を構成する。
【００５９】
なお、洗面化粧台は、洗面台９１と、支持台９２と、上部収納部９３とを備えている。洗面台９１は支持台９２の上端部に載設されている。洗面台９１には、洗面ボウル９４とカウンター２７とが設けられている。上部収納部９３は、洗面台９１の上方に配置されている。
【００６０】
これにより、例えば、フック５にゴミ袋を吊り下げておけば、洗面所の床に設置されたゴミ箱を排除することができるし、フック５に収納袋を吊り下げておけば、小物などを収納することができる。
【００６１】
また、握りバー３は、図９に示すように、バスルームの側壁９５に取り付けられてもよい。握りバー３の握り部３１は、その長手方向が上下方向に平行となるように取り付けられる。フック付きホールキャップ７は、握り部３１の下方の取付部３２に取り付けられている。なお、この場合、バスルームの側壁９４の前面（壁面）が、取付部３２の被取付面９を構成する。
【００６２】
これにより、例えば、フック５に収納袋を吊り下げておけば、子供の玩具などの浴室の小物を収納することができるし、フック５に、直接、掃除道具を吊り下げておくことも可能である。
【００６３】
また、握りバー３は、図１０に示すように、トイレルームの側壁９６に取り付けられてもよい。握りバー３の握り部３１は、その長手方向が上下方向に平行となるように取り付けられる。フック付きホールキャップ７は、握り部３１の下方の取付部３２に取り付けられている。なお、この場合、トイレルームの側壁９６の前面（壁面）が、取付部３２の被取付面９を構成する。
【００６４】
これにより、例えば、フック５に収納袋を吊り下げておけば、トイレの小物を収納することができるし、フック５にゴミ袋を吊り下げておくこともできる。また、特に図示しないが、トイレットペーパーを収納することができるトイレットペーパーホルダーをフック５に吊り下げて使用することも可能である。
【００６５】
なお、実施形態１〜３の握りバー３は、カバー体４が、凹部３３内に圧入されたものであったが、本発明におけるカバー体４は、着脱自在であってもよい。また、カバー体４は、ホールキャップ４１でなくてもよく、例えば、取付部３２の外郭を形成するようなカバーであってもよい。
【符号の説明】
【００６６】
１      厨房装置
２      家具
２１    脚挿入部
２２    前板
２３    側板
２４    調理台
２５    シンク
２７    カウンター
２８    バックガード
３      握りバー
３１    握り部
３２    取付部
３３    凹部
３４    底部
３５    奥面
３６    固着具挿通孔
４      カバー体
４１    ホールキャップ
５      フック
６      回転規制部
６１    係止片
６２    係止溝
【図１】
2014226392.tif 000003
【図２】
2014226392.tif 000004
【図３】
2014226392.tif 000005
【図４】
2014226392.tif 000006
【図５】
2014226392.tif 000007
【図６】
2014226392.tif 000008
【図７】
2014226392.tif 000009
【図８】
2014226392.tif 000010
【図９】
2014226392.tif 000011
【図１０】
2014226392.tif 000012